(57)【要約】      （修正有）【課題】物品の表面全体を除菌等することができるうえ、紫外線が外部に漏洩する心配もなく安全であるとともに、廃棄も容易で環境にやさしく、安価に製造することができる紫外線照射装置を提供する。【解決手段】天面が開口した内箱部３と、内箱部３を筒状に覆う外装部２と、紫外線を照射する光源が収納された光源収納部５とが一体に形成され、内箱部３は、内側表面に形成された紫外線を反射するミラー部３ａを有し、外装部２は、一の稜線をヒンジとして内箱部３の内側を露出可能に開閉可能な蓋部２ａを有し、光源収納部５は、蓋部２ａの内側であって閉蓋時に内箱部３の天面に対向する位置に設けられるとともに、紫外線を照射する光源５ａと、光源５ａを発光させるための回路部５ｄと、回路部５ｄに電力を供給するための電源ケーブル５ｃとを備え、蓋部２ａには、閉蓋時に蓋部２ａをロックする施錠手段４を有する構成とした。【選択図】図２
0003230607.tif 000002
【実用新案登録請求の範囲】
【請求項１】
箱体の内部で照射する紫外線により物品の表面を除菌ないし殺菌する紫外線照射装置であって、
前記箱体は、天面が開口した内箱部と、前記内箱部を筒状に覆う外装部と、紫外線を発する光源が収納された光源収納部とが一体に形成され、
前記内箱部は、内側表面に形成された紫外線を反射するミラー部を有し、
前記外装部は、一の稜線をヒンジとして内箱部の内側を露出可能に開閉可能な蓋部を有し、
前記光源収納部は、前記蓋部の内側であって閉蓋時に内箱部の天面に対向する位置に設けられるとともに、紫外線を照射する光源と、前記光源を発光させるための回路部と、前記回路部に電力を供給するための電源ケーブルとを備え、
前記蓋部には、閉蓋時に蓋部をロックする施錠手段を有することを特徴とする、紫外線照射装置。
【請求項２】
前記内箱部は、前記外装部で覆われていない面に内部を視認可能な窓部を有し、
前記光源は、紫外線及び可視光線を発することを特徴とする、請求項１に記載の紫外線照射装置。
【請求項３】
前記箱体は紙を主とする箱体であることを特徴とする、請求項１又は２の何れかに記載の紫外線照射装置。
【考案の詳細な説明】
【技術分野】
【０００１】
本考案は、収納した物品表面の除菌ないし殺菌（以下、「除菌等」）をすることができる紫外線照射装置に関するものである。
【背景技術】
【０００２】
近年、ウイルス感染症や食中毒等への意識の高まりにより、長時間手に触れて使用するスマートフォンや、常時身に着ける眼鏡等の衛生面を懸念する人が増えている。
除菌の分野においては、特定の波長の紫外線が細菌のＤＮＡ(デオキシリボ核酸)やウイルスのＲＮＡ（リボ核酸）に作用することで、これらの活動を不活性化させることができることが知られており、従来から、その作用を利用して物品の表面を除菌等するための装置が開発されている。
【０００３】
本件出願人においても、携帯が容易であり必要に応じて簡易な操作で物品表面の除菌を行うことが出来るハンディタイプの紫外線照射装置を開発し、実用新案登録を受けている（特許文献１参照）。
この装置は、手に持って紫外線照射部をスライドすることで紫外線が照射され、除菌対象物品の任意の箇所に集中して紫外線を照射することができるものである。
【０００４】
また、従来、箱体の中に医療器具等を収納し、箱体内で紫外線を照射することで器具表面の殺菌を行う殺菌装置の技術が開示されている（特許文献２参照）。
この装置は、箱体の中に殺菌対象物品を収納し、蓋を閉めることによって紫外線が箱体内部に照射され、物品の表面全体を殺菌することができるものである。
【先行技術文献】
【特許文献】
【０００５】
【特許文献１】実用新案登録第３２２８０７９号
【特許文献２】特開２０１８−１７５５０６号公報
【考案の概要】
【考案が解決しようとする課題】
【０００６】
しかし、特許文献１の技術では、装置を把持して物品表面の特定の箇所に紫外線を集中的に照射して強力に除菌等するものであるため、照射中は他の作業を行うことができない。また、物品全体を除菌等するには物品にまんべんなく照射する必要があるため、多くの時間を要するという問題があった。
【０００７】
また、特許文献２の技術では、安全性に配慮して、照射中に蓋が開くと照射を停止するように構成されているが、それ故、開閉を検知するスイッチ等の部品が必要になり、コストがかかるうえ、誤作動が起こる可能性があった。
また、箱体が紫外線を吸収する材質で構成されているため重厚堅牢であり、廃棄の容易さに欠けるという問題もあった。
【０００８】
本考案は、上記の如き問題に鑑みて為されたものであり、その目的とするところは、物品の表面全体を除菌等することができるうえ、紫外線が外部に漏洩する心配もなく安全であるとともに、廃棄も容易で環境にやさしく、安価に製造することができる紫外線照射装置を提供することにある。
【課題を解決するための手段】
【０００９】
（基本構成）
本考案者が上記課題を解決するために採用した手段は次のとおりである。
本考案の紫外線照射装置は、天面が開口した内箱部と、前記内箱部を筒状に覆う外装部と、紫外線照射装置が収納された光源収納部とが一体に形成された箱体を基本構成としている。
【００１０】
（内箱部の構成）
前記内箱部は、天面が開口した蓋を有しない箱形状であり、内側表面には、紫外線を反射するミラー部を形成している。その素材としては厚手の紙が好適に使用できる。
このミラー部は、内側の表面全体に形成するのが好ましいが、内側の表面の一部に形成してもよい。
【００１１】
ここで、内側表面にミラー部を設けない場合には、照射された紫外線は、内箱部に収納した物品の直上の照度が強い一方、角度を持って照射された紫外線は内箱部の内側表面で吸収、拡散されることとなる。そのため、主に物品の天面部が集中的に除菌等される一方、物品の側面の除菌等は不十分となる。
しかし、本発明の内箱部は内側表面をミラー部としていることにより、角度を持って照射された紫外線がミラー部によって高効率で反射されるため、物品の側面にも十分な紫外線が照射されて除菌等されることとなる。
【００１２】
また、内箱部の外装部で覆われていない面には、内箱部の内部を視認することができる窓部を設けるのが好ましい。この窓部は、単なる開孔であってもよいが、透明樹脂シート材。特に紫外線吸収効果のあるシート材を貼設することで形成するのがより好ましい。
【００１３】
（外装部の構成）
前記外装部は、前記内箱部を筒状に覆い、その一の稜線をヒンジとして内箱部の内側を露出可能に開閉可能な蓋部を備えている。すなわち、外装部は少なくとも前記稜線が柔軟に屈曲可能な素材で形成しており、好適には内箱同様の厚手の紙、とりわけ、化粧紙を貼り付けたいわゆる貼り箱の構造により形成することができる。
【００１４】
この一の稜線は、角部における稜線を用いることができるが、それに限定されず、面の途中に折り目を設けることで形成した稜線を用いることも可能である。
また、外装部の蓋部以外の面は内箱部の表面と接着等の一般的な固着手段により一体化して構成している。
【００１５】
（光源収納部の構成）
前記光源収納部は、紫外線を照射する光源と、前記光源を発光させるための回路部と、前記回路部に電力を供給するための電源ケーブルとを備えており、前記蓋部の内側であって閉蓋時に内箱部の天面に対向する位置に設けている。光源と回路部とは一の基板上に構成し、光源部の位置に開孔を有する廃棄容易な素材の筐体で覆って蓋部の内側に貼設するのが好ましい。
【００１６】
前記光源は、紫外線を発することのできる光源であり、好ましくは紫外線とともに近傍波長の可視光線も発することができるものが好ましい。
【００１７】
（施錠手段の構成）
前記蓋部には、手動で蓋部を施錠または解錠できる施錠手段を設けている。施錠手段を施錠状態とすると開蓋することができず、解錠状態とすることで開蓋可能となる。
【考案の効果】
【００１８】
（ミラー部の効果）
本考案では、内箱部の内側表面に紫外線を反射するミラー部を設けたことにより、内箱部に収納した物品の天面だけでなく、側面も除菌等することができるため、物品の配置や向きを何度も変えて照射する必要がなく、物品の天面だけでなく側面も除菌等することができるとともに、物品全体の除菌等をするのに要する時間を短縮することができる。
【００１９】
（窓部を設ける効果）
また、内箱部の外装部で覆われていない面に窓部を設け、光源を紫外線及び可視光性を発するものとした場合には、蓋部を閉蓋して紫外線を照射している状態が、窓部を通して紫外線と同時に発せられる可視光によって外側から視認できるようになる。そのため、作動中か否かを一目で確認することができ、除菌等が確実にされているか否かの判断や、故障の有無の発見をし易くなる。
【００２０】
（紙を主とする箱体であることの効果）
素材については、内箱部と外装部とが紙を主とする素材で形成されていることにより、廃棄の際に大部分を燃えるごみとして廃棄することが可能であるため、環境にやさしく、廃棄も容易であるという効果がある。
【００２１】
（施錠手段を設けた効果）
一方、蓋部に施錠手段を設けたことにより、マグネット等と異なり、落下時等に誤って蓋が開くことがないため、物品の保護が可能となる。また、蓋の開閉を検知して紫外線の照射を制御する構成と比べて、コストがかからないうえ誤作動の心配がなく、動作中に蓋が開くことによって紫外線が漏洩して目を傷めるリスクがない。
【図面の簡単な説明】
【００２２】
【図１】本考案の実施例１における紫外線除菌箱を表す斜視図である。
【図２】本考案の実施例１における紫外線除菌箱の蓋部を開いた状態を表す斜視図及び断面図である。
【図３】本考案の実施例１における紫外線除菌箱の紫外線の照射の様子を表す断面図である。
【図４】本考案の実施例１における紫外線除菌箱の印刷模様例を表す正面図である。
【図５】本考案の実施例２における紫外線除菌箱の蓋部を開いた状態を表す斜視図である。
【図６】本考案の実施例３における紫外線除菌箱を表す斜視図である。
【考案を実施するための形態】
【００２３】
『実施例１』
本考案の実施例１について、図１〜図４に基づいて説明する。なお、本考案はこれらの添付図面に示す態様に限定されるものではない。
【００２４】
（実施例１の基本構成）
本実施例における紫外線照射装置１は、図１に示すように直方体の箱体であって、内箱部３が外装部２で筒状に覆われた構成となっている。外装部２及び内箱部３は厚紙に化粧紙を貼り合わせた構造のいわゆる貼り箱を用いており、大部分が燃えるゴミとして廃棄できるため廃棄が容易であり、環境にやさしいものである。
なお、素材は紙製の貼り箱に限らず、単なる厚紙でも良いし、ＭＤＦ（中密度繊維板）などの木質素材を用いることもできる。また、表面を布貼りとすることも可能である。
【００２５】
前記外装部２は一の側面が上下に分割されており、分割部の上側の面及び天面部が蓋部2aとなっている。この分割部と反対側の側面の天面側の稜線はヒンジ2cとなっており、このヒンジ2cを基準に、図２に示すように、蓋部2aが開蓋するようになっている。
そして、この蓋部2aの分割部の中央部には、蓋部2aの開蓋を施錠するための施錠手段４が取着されている。
【００２６】
このような構成の外装部２は、蓋部2a以外の面が、内箱部３の外側の面と接着剤により貼り合わされ、一体化して構成されており、蓋部2aを、ヒンジ2cを起点に開蓋することで、内箱部３の内部を露出させることができる箱体を形成している。
【００２７】
この蓋部2aの天面の前方寄りには電源スイッチ2bが設けられている。本実施例では、物理スイッチではなく、内部に設けられた静電センサを反応させるための位置を特定させるための電源を表す記号が印刷されている。なお、電源スイッチは物理スイッチであってもよく、配置を適宜設定することも可能である。
【００２８】
一方、図１(a)に示すように、紫外線照射装置１の一の側面部3bからは、電源ケーブル5cが延出している。また、図１(b)に示すように、電源ケーブル5cの延出している側面部3bとは反対の側面部3bには、内箱部３の内部を外側から視認するための窓部3cが設けられている。
この窓部3cが設けられる側面部3bと、前記電源ケーブル5cが延出する側面部3bは、左右逆であってもよいし、同じ側面部3bであってもよい。
【００２９】
蓋部2aの天面部の内側には、紫外線を照射する光源5aが露出した光源収納部５が取着されており、光源5aが発した紫外線は光源収納部５の開孔部を通って照射される。
【００３０】
上記基本構成である本実施例の紫外線照射装置１の使用方法は、まず施錠手段４を解錠し、蓋部2aを空けた状態で除菌等を行いたい物品を内箱部３の中に収納する。そして、閉蓋施錠後、電源スイッチ2bを操作することで、光源5aから紫外線が照射され、物品の表面を除菌等することができる。
【００３１】
（内箱部の構成）
本実施例の内箱部３は、図２(a)に示すように、天面が開口した蓋を有しない直方体の貼り箱であり、その内側面全体（側面部の４面及び底面部）には、紫外線を反射するミラー部3aを形成している。本実施例のミラー部3aは、貼り箱の表面に貼付する化粧紙にアルミ蒸着された蒸着紙を用いることでミラー部3aを形成している。
【００３２】
内箱部３の短手方向の一方の側面部3aの稜線部には、前記電源ケーブル5cを延出させるための切欠きが設けてある。電源ケーブル5cは側面部3bの上方に設けられた切欠きに係合しており、稜線部上に電源ケーブル5cを押し込むことで電源ケーブル5cを嵌挿することができる。これにより、蓋部2aを閉めた場合であっても、蓋部2aと電源ケーブル5cが干渉せず、しっかり閉めることができるようになっている。
【００３３】
また、図２(b)に示すように、電源ケーブル5cが延出している側面部3aとは反対側の側面部3aに設けられた窓部3cは、角丸長方形の開孔に、光源5aの発光の有無を確認するための透明な樹脂シートが内側から貼設されている。
本実施例では無色透明の樹脂シートを用いているが、紫外線波長寄りの可視光（主に紫色や青色等）を透過する色調であれば、有色透明のものを用いてもよい。また、紫外線吸収効果のある樹脂シートを用いるのがより好ましい。
【００３４】
（外装部の構成）
本実施例の外装部２は、所定の位置にＶカット加工した平坦な厚紙に、所定の印刷が施された上質紙を貼り付け、スリット部で折って形成した筒状の貼り箱である。前述のとおり蓋部2aであり天面部の一部には、電源スイッチ2bとしての電源部を表す印刷が施されている。
【００３５】
本実施例では、外装部２の表裏で共通の白い上質紙を貼り付けているが、裏表で異なる色の紙を貼り付けてもよいし、表側に布地を貼り付けるなど、別の素材を用いることもできる。
また、図４に示すように、外装部２の印刷を変更するだけで意匠性を任意に変化させることができるため、使用環境等に応じた意匠性の製品を適宜提供することが可能となる。
【００３６】
（光源収納部の構成）
本実施例の光源収納部５は、図２(a)(b)に示すように、電子部品が実装された回路部5dと、回路部5dに電気的に取着された光源5a及び電源ケーブル5cを備え、回路部5dを蓋部2aの内側の面に接着剤等で固着させるとともに、回路部5dを、ＰＥＴ（ポリエチレンテレフタレート）等のシートを真空成形により箱状に成形した筐体5bで被覆して構成している。
【００３７】
筐体5bは、光源5aが発光する紫外線を照射させるための開孔を有している。また、筐体5bの側縁にはフランジ部が設けられており、フランジ部を蓋部2aの内側の面に接着剤等で固着することにより、外装部２と一体化している。このフランジ部の一部は切欠きが設けられており、前記電源ケーブル5cを挿通させて固着することができるようになっている。
【００３８】
本実施例では、光源5aは冷陰極管であり、おおよそ250nm〜260nmの波長をピークとした紫外線及び近傍波長の可視光線を発するものを使用している。そのため、回路部5dは、インバータ回路を構成するトランス等の部品が実装されている他、電源スイッチ2bの位置に対応した位置に静電センサ用の回路パターンが形成されており、光源5aのオン／オフを制御するマイコン等の部品が実装された基板によって構成されている。
【００３９】
また、電源ケーブル5cは正負の２芯構造のケーブルであり、先端のコネクタはＵＳＢ（ユニバーサル・シリアル・バス）コネクタのＡタイプを採用している。これにより、パソコンやモバイルバッテリーからの電源供給が可能となる。
【００４０】
（施錠手段の構成）
本実施例の施錠手段４は、図１(a)(b)に示すように、蓋部2a側に枢設された金属ノブをつまんで上下することで金属ノブの一端が、対応する基部の鍵穴へ挿入されて施錠される形式のものを使用しているが、蓋部2aの開蓋を施錠できればどのようなものを用いても良い。
このように、物理的に施錠することができるものを用いることで、落下等の衝撃によって蓋部2aが開いて紫外線が外部に露出することがないため、紫外線が不用意に目に照射されて目を傷める心配がない。
【００４１】
（紫外線照射の様子）
前記構成による本実施例の紫外線照射装置１は、図３に示すように、電源スイッチ2bを操作することで、光源収納部５内の光源5aから紫外線が照射される。
照射された紫外線は、内箱部３に収納した物品６の天面に照射されて天面の除菌等を行うとともに、側方に照射された紫外線はミラー部3aで反射され、物品６の側面部に照射されて除菌等を行うこととなる。
これによって、物品６の天面だけでなく、側面も同時に状均等されるため、内箱部３に物品６を収納して電源スイッチ2bを操作するという簡単な操作で物品６の大部分を除菌等することができる。
【００４２】
また、光源5aから直接照射され、あるいはミラー部3aによって反射された紫外線近傍波長の可視光は、窓部3cを介して外部に透過する。これにより、本実施例の紫外線除菌箱１が動作中か否かが、蓋部2aを開けることなく外部から確認することができる。
【００４３】
『実施例２』
本考案では、実施例１における光源5aを冷陰極管以外のものを用いることができ、例えば図５に示すように、紫外線を発するチップＬＥＤを回路部5dの基板に実装して形成することもできる。
【００４４】
チップＬＥＤは、線発光する冷陰極管と異なり点発光に近い発光態様となるうえ、ＬＥＤ一つ当たりの放射強度が低いのが一般的である。そのため、本実施例では、図５のように、６個のＬＥＤを線状に配置して構成している。これにより、物品６に対して全体的に紫外線を均等に照射することが可能となる。
【００４５】
『実施例３』
また、本考案では、紫外線照射装置１の形態を、実施例１のような直方体ではなく、図６に示すような断面円柱形とすることもできる。この場合、上半分の外装部２を蓋部2aとし、下半分の外装部２を内箱部３と固着することで、上下のつなぎ目部分をヒンジ2cとして蓋部2aを開閉することが可能となる。
【００４６】
直方体の貼り箱を用いる場合には、厚紙の厚さによっては角部が鋭くなり接触した場合に怪我をする恐れがあるが、このような形態にすることで鋭利な角部を無くすことができるため、携帯する場合であっても安全である。
【００４７】
本考案は、概ね上記のように構成されるが、本考案は図示の実施形態に限定されるものではなく、「実用新案登録請求の範囲」の記載内において種々の変更が可能であって、例えば、光源5aは線状ではなく面状に配置してもよく、発光開始から所定時間経過後に自動的に発光を停止するような構成としてもよい。
【００４８】
また、電源ケーブル5cは外部電源に接続するものではなく、除菌等の対象となる物品６に接続して電力の供給を受けるものであってもよく、いずれも本考案の技術的範囲に属する。
【符号の説明】
【００４９】
１  紫外線照射装置
２  外装部
2a  蓋部
2b  電源スイッチ
2c  ヒンジ
３  内箱部
3a  ミラー部
3b  側面部
3c  窓部
４  施錠手段
５  光源収納部
5a  光源
5b  筐体
5c  電源ケーブル
5d  回路部
６  物品
【図１】
0003230607.tif 000003
【図２】
0003230607.tif 000004
【図３】
0003230607.tif 000005
【図４】
0003230607.tif 000006
【図５】
0003230607.tif 000007
【図６】
0003230607.tif 000008